(57)【特許請求の範囲】
【請求項１】
使用者の身体の一部に巻き付けられるバンド本体部と、
前記バンド本体部の一端側の外面において、一端側が固定端とされ他端側が自由端とされて固定されている前記バンド本体部よりも小さな幅のバンド延設部と、
前記バンド本体部の他端側の内面において、当該他端側に開口部を有して固定された片で形成され、識別具であるタグ又はチップを保持するための識別具保持部と、
前記開口部内に前記識別具を留めるための飛出し防止部と、
を有する識別具装着バンドであって、
前記飛出し防止部が、前記片の端部が折り返されて形成された折返し部で形成されており、
前記バンド本体部の前記他端側を前記一端側に対して重ね合わせて、前記飛出し防止部に前記バンド本体部の前記一端側が重なった状態で、巻きつけて固定し、更に、前記バンド延設部の前記自由側を前記バンド本体部の前記他端側に対して重ね合わせて巻き付けて固定するバンド固定具を有し、
前記バンド固定具が前記バンド本体部及び前記バンド延設部に設けられている面ファスナであること、
を特徴とする識別具装着バンド。
【発明の詳細な説明】
【技術分野】
【０００１】
本発明は、マラソンやトライアスロン等の選手が、競技用計測システムで当該選手が所定の位置を通過したことを認識するための識別具（チップ）装着バンドに関する。
【背景技術】
【０００２】
従来、下記特許文献１に開示されている競技用計測システム等が、マラソンやトライアスロン等の競技においてタイムを計測するために使用されている。このような競技用計測システムにおいては、競技者をタグやチップ等の識別具を携帯させると共に、無線通信可能な通信装置が競技のスタート位置やゴール位置、あるいは中間地点等の所定位置に配置される。通信装置において識別具との通信が確認されることを条件として、その識別具を携帯している競技者が所定位置を通過したものと認識され、タイムの計測等がなされる。
【０００３】
ここで、上述したタグやチップ等の識別具は、競技者のゼッケン等に取り付けられる場合もあるが、例えば図５に示すアンクルバンド１００のように足首に巻き付けて使用するベルト状のもの（識別具装着バンド）が識別具を装着するために使用されることがある。アンクルバンド１００は、バンド本体部１０２の長手方向一端側において、バンド本体部１０２の表面１０２ａ側に面ファスナ１０４を取り付けた構成とされている。また、バンド本体部１０２の裏面１０２ｂは、面ファスナ１０４に対して着脱させうる素材により構成されている。
【０００４】
アンクルバンド１００は、バンド本体部１０２の表面１０２ａと面ファスナ１０４との間に空隙１１０を有する。空隙１１０は、バンド本体部１０２の端部側に開口部１１２を有し、識別具を挿入できる。アンクルバンド１００は、空隙１１０内に識別具を挿入すると共に、図５に矢印で示すようにバンド本体部１０２の裏面１０２ｂ側が競技者の肌に触れるようにして足首に巻き付けて面ファスナ１０４に裏面１０２ｂをくっつけることにより、識別具を足首に取り付けることができる。
【先行技術文献】
【特許文献】
【０００５】
【特許文献１】特開２０１０−２０１１９４号公報
【発明の概要】
【発明が解決しようとする課題】
【０００６】
ここで、上述したアンクルバンド１００は、競技者の足首に取り付けた状態においても、識別具を空隙１１０に挿入するために設けられた開口部１１２が完全に閉塞される訳ではない。そのため、マラソンやトライアスロン等の競技を行う間に開口部１１２から識別具が脱落してしまい、タイムの計測等ができなくなる懸念がある。マラソンやトライアスロン等の競技においては、タイムの計測等ができなければ失格等の処分が下される可能性がある。そのため、アンクルバンド１００が識別具を装着するために用いられる場合には、アンクルバンド１００の装着後、さらにアンクルバンド１００の外側から輪ゴムを装着する等して、識別具の脱落防止策を講じる必要があった。
【０００７】
そこで本発明は、マラソンやトライアスロン等の競技に用いられる識別具を脱落しないように確実に保持可能な識別具装着バンドの提供を目的とした。
【課題を解決するための手段】
【０００８】
上述した課題を解決すべく提供される本発明は、
使用者の身体の一部に巻き付けられるバンド本体部と、
前記バンド本体部の長手方向中間部に一端側が固定され、他端側が自由端とされたバンド延設部と、
前記バンド本体部を前記使用者の身体の一部に巻き付けた状態で固定するバンド固定具と、
識別具を保持する識別具保持部と、
前記識別具保持部に前記識別具を出し入れするための開口部と、
前記開口部内に前記識別具を留めるための飛出し防止部と、
を有する識別具装着バンドであって、
前記バンド本体部の一端側を他端側に対して重ね合わせて、前記飛出し防止部に前記バンド本体部の前記一端側が重なった状態で、巻きつけて固定し、更に、前記バンド延設部の前記他端側を前記バンド本体部の前記一端側に対して重ね合わせて巻き付けて固定する構成を有すること、
を特徴とする識別具装着バンドを提供する。
【０００９】
この本発明の識別具装着バンドにおいては、前記識別具保持部の前記開口部が、前記飛出し防止部、前記バンド本体部の前記一端側、及び前記バンド延設部の前記他端側によって三重に閉じられている構成を有するため、本発明の識別具装着バンドを装着した使用者は激しい運動をしても、より確実に識別具を保持することができる。
【００１０】
上述した本発明の識別具装着バンドは、前記バンド固定具が、面ファスナによって構成されていることが好ましい。
【００１１】
上述した本発明の識別具装着バンドは、前記バンド延設部を前記バンド本体部に対して固定するための延設部固定具が、面ファスナによって構成されていることが望ましい。
【００１２】
上述した本発明の識別具装着バンドは、前記使用者の身体に装着した状態において最も外側に向く面に、ラベルを貼付可能なラベル貼付部が設けられていることが好ましい。
【００１３】
上述した本発明の識別具装着バンドにおいては、前記飛出し防止部が、前記開口部内に位置する折返し片で構成されているか、前記開口部を閉塞する開口閉塞部で構成されていること、が好ましい。
【００１４】
上述した本発明の識別具装着バンドにおいて、前記飛出し防止部が、前記開口部を閉塞する開口閉塞部で構成されている場合、例えば、前記バンド本体部を構成する帯状の第一帯状部材、及び前記バンド延設部を構成する帯状の第二帯状部材を有し、前記第一帯状部材及び前記第二帯状部材を長手方向一端側から長手方向中間部まで一体化させると共に、前記第一帯状部材及び前記第二帯状部材の間に前記識別具保持部を形成し、前記第一帯状部材及び前記第二帯状部材の長手方向一端側に前記開口部を形成したものであり、前記第一帯状部材の一端側の端部を前記第二帯状部材側に折り返して固定することにより、前記開口閉塞部が構成されることが好ましい。
【００１５】
上述した本発明の識別具装着バンドは、前記第二帯状部材が、面ファスナの雄片を表面に備えたものであり、前記第一帯状部材において、少なくとも前記使用者の身体に装着した状態で前記雄片に接触する部分が、前記面ファスナの前記雄片に係着する素材によって形成されていることが好ましい。
【発明の効果】
【００１６】
本発明の識別具装着バンドは、識別具保持部に前記識別具を出し入れするための開口部から識別具が飛び出すのを防止するための飛出し防止部を有する。また、本発明の識別具装着バンドは、バンド本体部を前記使用者の身体に巻き付け、バンド本体部の一端側を他端側に対して重ね合わせ、バンド固定具によって固定することにより、飛出し防止部に前記バンド本体部が被さった状態になる。これにより、マラソンやトライアスロン等の競技中に摩擦等によって飛出し防止部から識別具が誤って飛び出してしまうことを抑制できる。さらに、本発明の識別具装着バンドにおいては、バンド延設部をバンド本体部に沿って巻き付けて固定することにより、バンド延設部がバンド固定具による固定部分に被さった状態になる。これにより、バンド固定具が予期せず固定解除状態になることを防止できる。このように、本発明の識別具装着バンドにおいては、前記識別具保持部の前記開口部が、前記飛出し防止部、前記バンド本体部及び前記バンド延設部によって三重に閉じられている構成を有するため、本発明の識別具装着バンドを装着した使用者は激しい運動をしても、より確実に識別具を保持することができる。従って、本発明の識別具装着バンドによれば、マラソンやトライアスロン等の競技中に不意に識別具が脱落してしまうことをより確実に抑制できる。
【００１７】
また、本発明の識別具装着バンドにおいて、バンド固定具として面ファスナを用いた場合、面ファスナにおいて面的に係着され、バンド本体を強固に固定することができる。これにより、バンド固定具によるバンド本体の固定強度をより一層向上させることができる。また、バンド固定具として面ファスナを用いることにより、バンド本体の着脱が容易かつスムーズに行えるようになる。
【００１８】
また、本発明の識別具装着バンドにおいて、バンド延設部をバンド本体部に固定するための延設部固定具を面ファスナによって構成した場合、バンド本体部に対してバンド延設部を強固に固定できる。また、延設部固定具として面ファスナを用いることにより、バンド延設部の着脱が容易かつスムーズに行えるようになる。
【００１９】
上述したように、本発明の識別具装着バンドにラベル貼付部を設けることにより、マラソンやトライアスロン等の競技に関するラベルを容易に貼付することが可能となる。
【００２０】
また、本発明の識別具装着バンドは、第一帯状部材及び第二帯状部材からなる２本の帯状部材によりバンド本体部及びバンド延設部に加え、識別具保持部、開口、及び開口閉塞部を形成することができる。このような構成とすることにより、識別具装着バンドをシンプルな構成とすることができる。
【００２１】
また、本発明の識別具装着バンドは、第二帯状部材として面ファスナの雄片を表面に備えたものを採用し、第一帯状部材において雄片に接触する部分を面ファスナの雄片に係着する素材によって形成することにより、固定構造をシンプルに形成することができる。
【図面の簡単な説明】
【００２２】
【図１】（ａ）は本発明の第一実施形態に係る識別具装着バンドを示す平面図、（ｂ）は斜視図である。
【図２】（ａ）は本発明の第一実施形態に係る識別具装着バンドの装着初期段階の状態を示す平面図、（ｂ）は斜視図である。
【図３】（ａ）は本発明の第一実施形態に係る識別具装着バンドの装着中途段階の状態を示す平面図、（ｂ）は斜視図である。
【図４】（ａ）は本発明の第一実施形態に係る識別具装着バンドを拡げた状態を示す正面図、（ｂ）は背面図である。
【図５】（ａ）は本発明の第二実施形態に係る識別具装着バンドの装着初期段階の状態を示す断面図、（ｂ）は斜視図である。
【図６】図５の（ａ）における領域Ａの部分拡大図である。
【図７】従来技術のアンクルバンドを示す斜視図である。
【発明を実施するための形態】
【００２３】
続いて、本発明の識別具装着バンドの好ましい実施形態を、図面を参照しながら詳細に説明する。ただし、本発明はこれらのみに限定されるものではない。また、以下の説明では、同一又は相当部分には同一符号を付し、重複する説明は省略することもある。図面は、本発明を概念的に説明するためのものであるから、理解容易のために、必要に応じて寸法、比又は数を誇張又は簡略化して表している場合もある。
【００２４】
≪第一実施形態≫
（１）識別具装着バンド１０の構成について
本実施形態の識別具装着バンド１０は、マラソンやトライアスロン等の競技においてタイムを計測するために使用されるタグやチップ等の識別具（計測具）Ｍを使用者の身体に装着するためのものである。具体的には、識別具装着バンド１０は、使用者の足首に装着して使用されるものである。図１〜図４に示すように、識別具装着バンド１０は、バンド本体部２０や、バンド延設部３０、識別具保持部４０、バンド固定具５０、延設部固定具６０等を備えている。
【００２５】
バンド本体部２０は、後に詳述する第一帯状部材８０（図４参照）によって構成された帯状の形状のものである。バンド本体部２０は、布等の可撓性を有する素材によって形成されており、使用者の身体に巻き付けることができる。図１〜図３に示すように、バンド本体部２０は、識別具装着バンド１０を使用者が装着した際に身体側に向く内面２２と、内面２２とは反対側の外面２４とを有する。バンド本体部２０は、内面２２及び外面２４の素材や肌触り等が同一であっても相違していても良いが、少なくとも内面２２については身体に直接接触しても違和感等がなく、優れた装着感を有するものであることが好ましい。
【００２６】
バンド延設部３０は、後に詳述する第二帯状部材９０（図４参照）によって構成された帯状の形状のものである。バンド延設部３０は、バンド本体部２０と同様に可撓性を有する素材で形成されている。図４に示すように、バンド延設部３０は、バンド本体部２０と重ねられ、バンド本体部２０に対して縫合により固定されている。具体的には、バンド延設部３０は、長手方向一端側の端部をバンド本体部２０に対して長手方向に所定長さＸ分だけずらした状態でバンド本体部２０と一体化されている。すなわち、バンド延設部３０は、バンド本体部２０の長手方向一端側に所定長さＸ分に相当する分だけバンド本体部２０が露出した非重複領域３３を形成するように配置されている。
【００２７】
図１〜図３に示すように、バンド延設部３０は、長手方向一端側から中間部に至る部分（固定領域３２）においてバンド本体部２０に対して縫合により固定され、中間部から他端側に至る部分が自由端３４とされている。具体的には、バンド延設部３０は、固定領域３２をなす矩形状の領域のうち、長手方向一端側の端部において幅方向に延びる辺を除く他の三辺に沿う縫合線Ｌ１，Ｌ２，Ｌ３上を縫合することによりバンド本体部２０と一体化されている。すなわち、バンド延設部３０は、長手方向中間部において幅方向（短手方向）に延びる縫合線Ｌ１に沿って縫合されている。
【００２８】
また、バンド延設部３０は、幅方向両端側において長手方向一端側から中間部に向けて直線的に延びる縫合線Ｌ２，Ｌ３に沿って縫合されている。一方、バンド延設部３０は、固定領域３２側の端部においては縫合されていない。このように、バンド延設部３０は、バンド本体部２０に対して略「コ」字型に縫合され、一体化されている。一方、バンド延設部３０は、縫合線Ｌ１を境界として他端部に至る領域が自由端３４とされている。従って、バンド延設部３０は、縫合線Ｌ１を境界として自由端３４側の領域を自由に屈曲させることができる。
【００２９】
バンド延設部３０において、バンド本体部２０とは反対側に向く面（第一表面３６）には、略全面に亘って面ファスナの雄片３８が設けられている。雄片３８は、後に詳述するバンド固定具５０や延設部固定具６０を構成するものとして機能する。
【００３０】
バンド延設部３０は、自由端３４側の領域において第一表面３６とは反対側の面（第二表面３７）、すなわちバンド本体部２０側を向く面は、平滑な素材によって形成されている。第二表面３７は、使用者の身体に識別具装着バンド１０を装着した状態において最も外側に向く面である。第二表面３７は、例えばマラソンやトライアスロン等の競技会名等を示すためのラベルを印字又は貼付するためのラベル部３５として機能する。
【００３１】
識別具保持部４０は、上述したバンド本体部２０とバンド延設部３０との間に形成された空隙によって構成されている。具体的には、バンド延設部３０は、固定領域３２においてバンド本体部２０に対して略「コ」字型に縫合されたものである。そのため、縫合線Ｌ１，Ｌ２，Ｌ３によって囲まれた部分においては、バンド本体部２０とバンド延設部３０との間には空隙が形成されている。この空隙が、識別具保持部４０として機能する。
【００３２】
識別具保持部４０には、識別具Ｍを出し入れするための開口部４２が設けられている。具体的には、上述したようにバンド延設部３０は固定領域３２側の端部においては縫合されていない。この非縫合部が、識別具Ｍを出し入れするための開口部４２として機能する。また、上述したバンド本体部２０の長手方向一端側に設けられた非重複領域３３が、開口部４２から識別具Ｍが飛び出すのを防止するための飛出し防止部、即ち、開口部４２を閉塞するための開口閉塞部４４として機能する。具体的には、バンド本体部２０の非重複領域３３によって構成された開口閉塞部４４をバンド延設部３０側に折り返すことにより、開口部４２を閉塞することができる。
【００３３】
また、開口閉塞部４４をなす非重複領域３３は、バンド延設部３０の第一表面３６に設けられた面ファスナの雄片３８に係着し、開口部４２を閉塞したままの状態で維持することができる。そのため、開口部４２から識別具保持部４０に識別具Ｍを入れ、開口閉塞部４４によって開口部４２を閉じることにより、識別具Ｍが脱落しないように保持することができる。
【００３４】
バンド固定具５０は、バンド本体部２０を使用者の身体（足首）に巻き付けた状態で固定するための固定具である。バンド固定具５０は、バンド本体部２０を固定可能なものであればいかなるものであっても良いが、本実施形態では面ファスナによって構成されている。バンド固定具５０を構成する面ファスナは、バンド延設部３０の第一表面３６設けられた雄片３８と、バンド本体部２０の内面２２に設けられた雌片２６との組合せにより構成されている。
【００３５】
延設部固定具６０は、バンド延設部３０をバンド本体部２０に対して固定するための固定具である。延設部固定具６０は、バンド延設部３０を固定可能なものであればいかなるものであっても良いが、本実施形態では面ファスナによって構成されている。延設部固定具６０を構成する面ファスナは、バンド延設部３０の第一表面３６設けられた雄片３８と、バンド本体部２０の外面２４との組合せにより構成されている。バンド本体部２０の外面２４は、略全体に亘って雄片３８が係着可能な素材によって形成されている（即ち、外面２４は、雌片２６と同様の構成・機能を有する素材によって形成されている。）。
【００３６】
上述した識別具装着バンド１０は、様々な方法で各部を構成することが可能であるが、例えば図４に示すように、主としてバンド本体部２０を構成する第一帯状部材８０と、主としてバンド延設部３０を構成する第二帯状部材９０の２本の帯状部材を組合せることにより形成したものとすることができる。具体的には、第一帯状部材８０として、布等の素材により形成された帯状のものを準備する。第一帯状部材８０は、内面２２側の長手方向一端側に雌片２６となる部分を設けると共に、外面２４となる面を面ファスナの雄片を係着させうる素材によって形成される（即ち、雌片２６と同様の構成・機能を有する素材によって形成されている。）。また、第二帯状部材９０として、第一表面３６の略全面に亘って雄片３８が形成されると共に、第二表面３７が平滑な素材によって形成された帯状のものを準備する。
【００３７】
上述した第一帯状部材８０及び第二帯状部材９０は、外面２４と第二表面３７とが直接的に接触するように配置される。また、開口閉塞部４４となる部分を形成すべく、第一帯状部材８０の端部に対して、第二帯状部材９０の端部を長手方向に所定長さＸ分だけずらした状態で配置される。このように第一帯状部材８０及び第二帯状部材９０を重ね合わせた状態で、上述した縫合線Ｌ１，Ｌ２，Ｌ３に沿って縫合する。
【００３８】
これにより、第一帯状部材８０及び第二帯状部材９０が長手方向一端側から長手方向中間部まで一体化されると共に、第一帯状部材８０及び第二帯状部材９０の間に備えた識別具保持部４０が形成される。識別具保持部４０の開口部４２は、第一帯状部材８０の一端側の端部によって形成された開口閉塞部４４を第二帯状部材９０側に折り返して固定することにより閉塞できる。
【００３９】
（２）識別具装着バンド１０の装着方法について
識別具装着バンド１０を装着する際には、先ず図２に示すように開口部４２から識別具保持部４０に識別具Ｍを収容させた後、開口閉塞部４４により開口部４２を閉じる。その後、図２に矢印で示すように、バンド本体部２０を内面２２側が使用者の身体（足首）側に向くようにして巻き付け、バンド固定具５０をなす面ファスナ（雄片３８及び雌片２６）で固定する。これにより、図３に示すように、バンド本体部２０が使用者の身体（足首）に装着されると共に、開口閉塞部４４の上にバンド本体部２０が被さった状態になる。
【００４０】
上述したようにしてバンド本体部２０を身体（足首）に装着した後、図３に矢印で示すようにバンド延設部３０をバンド本体部２０に沿って巻き付け、延設部固定具６０をなす面ファスナで固定する。すなわち、バンド延設部３０の第一表面３６に設けられた雄片３８を、バンド本体部２０の外面２４に係着させる。これにより、図１に示すようにバンド延設部３０がバンド固定具５０による固定部分に被さった状態になり、識別具装着バンド１０の装着が完了する。
【００４１】
上述したように、本実施形態の識別具装着バンド１０は、識別具保持部４０に識別具Ｍを出し入れするための開口部４２を閉塞するための開口閉塞部４４を有する。また、識別具装着バンド１０は、バンド本体部２０を身体（足首）に装着すべくバンド固定具５０によって固定することにより、開口閉塞部４４にバンド本体部２０が被さった状態になる。これにより、マラソンやトライアスロン等の競技中に生じる摩擦等によって開口閉塞部４４が誤って開くのを防止できる。
【００４２】
さらに、識別具装着バンド１０においては、バンド延設部３０が設けられており、身体（足首）に装着されたバンド本体部２０に沿ってバンド延設部３０を巻き付けることにより、バンド延設部３０をバンド固定具５０による固定部分に被せた状態とすることができる。これにより、バンド固定具５０が予期せず外れてしまうことを防止できる。これにより、マラソンやトライアスロン等の競技中に、識別具保持部４０から予期せず識別具Ｍが脱落してしまうことを抑制できる。
【００４３】
上述したように、識別具装着バンド１０においては、バンド固定具５０及び延設部固定具６０として面ファスナが採用されている。そのため、バンド固定具５０及び延設部固定具６０によってしっかりと固定され、マラソンやトライアスロン等の競技中に誤って外れてしまうことを防止できると共に、識別具装着バンド１０を容易かつスムーズに着脱できる。
【００４４】
≪第二実施形態≫
次に、本発明の第二実施形態に係る識別具装着バンド１０に関し、図５及び図６を参照しながら、主として上記第一実施形態との相違点について説明し、上記第一実施形態と共通する点については説明を省略する。図５の（ａ）は本発明の第二実施形態に係る識別具装着バンド１０の装着初期段階の状態を示す断面図であり、（ｂ）はその斜視図である。また、図６は、図５の（ａ）における領域Ａの部分拡大図である。
【００４５】
本実施形態の識別具装着バンド１０では、図５に示すように、バンド延設部３０は、バンド本体部２０よりは小さな幅を有しており、バンド本体部２０と重ねられてバンド本体部２０に対して縫合により固定されている。ここでは、上記第一実施形態と異なり、バンド延設部３０は固定領域３２側の端部においても縫合されている。
【００４６】
識別具保持部４０は、上述したバンド本体部２０のうちの、バンド延設部３０とは反対側の端部において内面２２に縫合された保持用の雌片２６により構成されている。雌片２６はコの字状に縫合されており、開放している部分が識別具Ｍを出し入れするための開口部４２として機能する。具体的には、雌片２６はバンド本体部２０の端部においては縫合されていない。この非縫合部が、識別具Ｍを出し入れするための開口部４２として機能する。
【００４７】
また、図６に示すように、雌片２６はその端部がバンド本体部２０の端部から所定の間隔（領域Ｙ）をあけて縫合されており、かつ、その端部が内側に折り返された状態でバンド本体部２０に縫合されている。これにより折返し部４４ａが形成され、この折返し部４４ａが、開口部４２から識別具Ｍが飛び出すのを防止するための飛出し防止部として機能する。
【００４８】
この識別具装着バンド１０は、雌片２６で構成される識別具保持部４０に識別具Ｍを挿入して折返し部４４ａにより確実に保持させつつ、この雌片２６を、バンド延設部３０の第一表面３６に設けられた面ファスナの雄片３８に係着させる。この雌片２６と雄片３８とがバンド固定具５０を構成する。このとき、バンド本体部２０の内面２２もともに雄片３８に係着するのが好ましく、これにより、確実に識別具Ｍが脱落しないように保持することができる。
【００４９】
識別具保持部４０を主として雌片２６により雄片３８に係着させた状態、即ち、バンド本体部２０の一端側を他端側に対して重ね合わせて、折返し部４４ａとバンド本体部２０の一端側が重なった被さった状態で、巻きつけて固定する。ついで、バンド延設部３０の他端側を、識別具保持部４０を覆うようにその上に対して重ね合わせて巻き付けて、バンド本体部２０の外面２４に固定する。したがって、第二実施形態における延設部固定具６０も、バンド延設部３０の第一表面３６設けられた雄片３８と、バンド本体部２０の外面２４との組合せにより構成されている。
【００５０】
以上、本発明の代表的な実施形態について説明したが、特許請求の範囲に記載された本発明の技術的思想の範囲内で種々の設計変更が可能であり、それらは全て本発明に含まれるものである。
【００５１】
例えば、上記実施形態では、バンド固定具５０及び延設部固定具６０として面ファスナを採用した例を示したが、これは本発明の一例に過ぎず、他の固定具によって固定するようにしても良い。
【００５２】
また、上述した識別具装着バンド１０においては、ラベル貼付部３５が設けられている。そのため、マラソンやトライアスロン等の競技に関するラベル等を貼るためにも、識別具装着バンド１０を有効利用することができる。なお、上述した識別具装着バンド１０は、ラベル貼付部３５を備えたものであるが、本発明はこれに限定されるものではなく、ラベル貼付部３５を備えていないものであっても良い。
【００５３】
また、上述したように、識別具装着バンド１０を第一帯状部材８０及び第二帯状部材９０によって構成した場合には、識別具装着バンド１０をシンプルな構成とすることができる。なお、本実施形態では第一帯状部材８０及び第二帯状部材９０によって識別具装着バンド１０を形成した例を示したが、本発明はこれに限定されるものではなく、さらに多数の部材によって識別具装着バンド１０の各部を構成しても良い。
【産業上の利用可能性】
【００５４】
本発明の識別具装着バンドは、マラソンやトライアスロンをはじめとする様々な競技等においてタグ等の識別具を身体に装着するためのバンドとして好適に利用できる。また、本発明の識別具装着バンドのラベル部に、例えばマラソンやトライアスロンの参加者のタイム、氏名及び属性等を記載して本人に提供することにすれば、記念品として価値のあるものになり、次回の大会への参加意識やモチベーションが高まったりし、当該大会のステイタスや付加価値が高まるという効果が期待できる。
【符号の説明】
【００５５】
１０  識別具装着バンド
２０  バンド本体部
２２  内面
２４  外面
２６  雌片
３０  バンド延設部
３２  固定領域
３３  非重複領域
３４  自由端
３５  ラベル部
３６  第一表面
３７  第二表面
３８  雄片
４０  識別具保持部
４２  開口部
４４  飛出し防止部（開口閉塞部）
４４Ａ  飛出し防止部（折返し部）
５０  バンド固定具
６０  延設部固定具
８０  第一帯状部材
９０  第二帯状部材
Ｍ  識別具
【要約】
【課題】マラソンやトライアスロン等の競技に用いられる識別具を脱落しないように確実に保持可能な識別具装着バンドを提供することを目的とする。
【解決手段】識別具装着バンド１０は、バンド本体部２０と、バンド延設部３０と、バンド固定具５０と、識別具保持部４０とを有する。また、識別具保持部４０には、開口部４２と、開口閉塞部４４とが設けられている。識別具装着バンド１０は、バンド本体部２０を使用者の身体に巻き付け、バンド本体部２０の一端側を他端側に対して重ね合わせた状態においてバンド固定具５０で固定することにより、開口閉塞部４４にバンド本体部２０が被さった状態になり、バンド延設部３０をバンド本体部２０に沿って巻き付けて固定することにより、バンド延設部３０がバンド固定具５０による固定部分に被さった状態になる。
【選択図】図１【図１】
0005894325.tif 000002
【図２】
0005894325.tif 000003
【図３】
0005894325.tif 000004
【図４】
0005894325.tif 000005
【図５】
0005894325.tif 000006
【図６】
0005894325.tif 000007
【図７】
0005894325.tif 000008